(57)【要約】【課題】簡単に開封でき、強度も高く、見栄えの良い箱を提供する。【解決手段】第１の壁面１１の第１の中心線２１の第１の点２５を通り、第１の中心線２１と斜めに交差する第１の分離予約線３１と、第１の分離予約線３１の両端とそれぞれ繋がり、第１の点２５からの距離ｄ１が等しい位置に設けられた一対の切欠き３９ａおよび３９ｂと、一対の切欠き３９ａおよび３９ｂと一対の辺５２の上の開封点２６ａおよび２６ｂとをそれぞれ接続する第２の分離予約線３２ａおよび３２ｂとを有する箱を提供する。【選択図】図１
2015110446.tif 000002
【特許請求の範囲】
【請求項１】
第１の壁面の第１の中心線の第１の点を通り、前記第１の中心線と斜めに交差する第１の分離予約線と、
前記第１の分離予約線の両端とそれぞれ繋がり、前記第１の点からの距離が等しい位置に設けられた一対の切欠きと、
前記一対の切欠きと前記第１の点からの距離が前記一対の切欠きより離れた前記第１の壁面上の一対の開封点とをそれぞれ接続する一対の第２の分離予約線とを有し、前記第２の分離予約線は、前記第１の点の周りに対称な形状を含む、箱。
【請求項２】
請求項１において、前記第１の中心線に平行な前記第１の壁面の両辺から前記一対の切欠きのそれぞれまでの第１の距離Ｌ１が以下の条件を満たす、箱。ただし単位はｍｍである。
１０≦Ｌ１≦２００
【請求項３】
請求項１または２において、前記一対の開封点は前記第１の点から等距離の位置である、箱。
【請求項４】
請求項１ないし３のいずれかにおいて、前記一対の第２の分離予約線は、曲線を含む、箱。
【請求項５】
請求項１ないし４のいずれかにおいて、前記一対の第２の分離予約線は、前記第１の中心線に対し外側に凸の曲線を含む、箱。
【請求項６】
請求項１ないし５のいずれかにおいて、前記一対の第２の分離予約線は、破断予約線を含む、箱。
【請求項７】
請求項１ないし６のいずれかにおいて、前記一対の開封点は前記第１の中心線上に位置する、箱。
【請求項８】
請求項１ないし６のいずれかにおいて、前記一対の開封点は前記第１の中心線から外れた位置にある、箱。
【請求項９】
請求項１ないし８のいずれかにおいて、前記第１の点は中点である、箱。
【請求項１０】
請求項９において、前記一対の開封点は、前記第１の壁面の対向する一対の辺にそれぞれ位置する、箱。
【請求項１１】
請求項１０において、前記開封点と繋がり、前記一対の辺に沿って延びた第３の分離予約線を有し、前記第１の分離予約線、前記第２の分離予約線および前記第３の分離予約線により分離されたフラップが前記第１の中心線に対して左右に開く、箱。
【請求項１２】
請求項１１において、前記第３の分離予約線は、前記一対の辺に設けられている、箱。
【請求項１３】
請求項１１において、前記第３の分離予約線は、前記一対の辺から離れた位置で前記一対の辺と平行に延びた部分を含む、箱。
【請求項１４】
請求項１１ないし１３のいずれかにおいて、前記第３の分離予約線は、前記一対の辺を介して前記第１の壁面に接続された一対の側壁面を分離する第４の分離予約線を含む、箱。
【請求項１５】
請求項１１ないし１４のいずれかにおいて、前記第３の分離予約線に繋がり、前記分離されたフラップが当該箱の他の部分から分離されるように設けられた第５の分離予約線を有する、箱。
【発明の詳細な説明】
【技術分野】
【０００１】
本発明は、少なくとも１つの面を開封できる箱に関するものである。
【背景技術】
【０００２】
特許文献１には、外観や剛性を損なうことなく、確実に２つの壁面に亘って開封する包装箱が開示されている。この包装箱は、表ライナと裏ライナの間に中しんを配設した段ボール紙からなる包装箱であって、第１壁（側壁）に、切断部と非切断部とが交互に設けられ、折曲線と交差する端部を非切断部とした第１破断線（第１片ジッパー）を有する第１破断手段を設けるとともに、第２壁（天壁）に、第１破断線と連続するように切断部と非切断部とが交互に設けられ、第１破断手段に沿って第１壁を構成する段ボール紙を破断した後、引き続いて第２壁を構成する段ボール紙を破断可能とする第２破断線（第２片ジッパー）を有する第２破断手段を設け、かつ、折曲線の第１破断線と交差する端部に、裏ライナを切断したハーフカット線を設けた構成とする。
【先行技術文献】
【特許文献】
【０００３】
【特許文献１】特開２０１２−２４０７３６号公報
【発明の概要】
【発明が解決しようとする課題】
【０００４】
簡単に開封できる箱であって、強度も高く、見栄えの良い箱が望まれている。
【課題を解決するための手段】
【０００５】
本発明の一態様は、第１の壁面の第１の中心線の第１の点を通り、第１の中心線と斜めに交差する第１の分離予約線と、第１の分離予約線の両端とそれぞれ繋がり、第１の点からの距離が等しい位置に設けられた一対の切欠きと、一対の切欠きと第１の点からの距離が一対の切欠きより離れた第１の壁面上の一対の開封点とをそれぞれ接続する一対の第２の分離予約線とを有する箱である。一対の第２の分離予約線は、第１の点の周りに対称な形状を含む。一対の開封点は第１の点から等距離の位置であってもよく、この場合、第２の分離予約線は第１の点の周りに対称（点対称）な形状となる。
【０００６】
典型的な箱は、梱包や運搬に用いられる包装箱あるいはダンボール箱である。この箱は、２つの切欠きに指、たとえば親指を掛けて異なる方向に引っ張ることにより、第１の壁面の少なくとも一部が、第１の中心線を中心として、第１の分離予約線と第２の分離予約線とで形成された２つの（左右の）フラップに分離され、開封される。したがって、第１の壁面の少なくとも一部を簡単に開封できる。
【０００７】
さらに、フラップを形成する第１の分離予約線が第１の中心線に対して斜めに、交差するように設けられている。したがって、この箱は、第１の中心線を中心として左右に開封できる構成でありながら、第１の中心線に沿って荷重が加わったり引っ張られたりしても、第１の中心線に沿って凹んだり、変形したりしにくい。この第１の分離予約線は、箱を開封するための分離予約線の中心となり、手を掛けるために目立つ線であり、それが第１の中心線に対して斜めに傾いて配置されているので、分離予約線全体が第１の壁面の上のデザインとして寄与する。また、第１の分離予約線および第２の分離予約線は第１の点の周りに対称な形状であり、左右均等な力で開封されやすく、デザインとしても斬新であるが調和がとれたものとなる。このため、開けやすく、強度が高く、さらに、見栄えの良い箱を提供できる。
【０００８】
この箱においては、第１の中心線に平行な第１の壁面の両辺（両縁、両端）から一対(２つ)の切欠きのそれぞれまでの第１の距離Ｌ１が以下の（１）式を満たすことが望ましい。ただし単位はｍｍである。
１０≦Ｌ１≦２００・・・（１）
【０００９】
第１の距離Ｌ１が（１）式の範囲であれば、２つの切欠きに親指をそれぞれ入れ、箱の第１の壁面の両辺のそれぞれに手の親指以外の部分を掛けることができる。したがって、親指以外の手の箱に掛けた部分を中心（支点）として、手を旋回させることにより簡単に第１の壁面の少なくとも一部を開封できる。（１）式の下限は７０ｍｍであることが望ましく、９０ｍｍであることがさらに好ましい。（１）式の上限は１２０ｍｍであることが望ましく、１００ｍｍであることがさらに好ましい。手を広げた状態で、親指を切欠きに入れ、手の反対側の部分または指を支点として、第１および第２の分離予約線により形成される２つのフラップを開封できる。手を広く使えるので、簡単に、比較的小さな力でフラップを開封できる。
【００１０】
２つの切欠きの中心である第１の点の典型的なものは第１の中心線の中点である。第１の壁面を、第１の中心線の中点を中心として開封できる。一対の開封点は、第１の壁面の対向する一対の辺にそれぞれ位置することが好ましい。一対の辺は、第１の中心線に平行な辺であってもよく、第１の中心線に垂直または斜めに交差する辺であってもよい。第１の壁面を第１および第２の分離予約線により開封できる。一対の辺が、第１の中心線の両端に接する辺であれば、第１の壁面全体を開封できる。
【００１１】
一対の開封点は、第１の中心線上、たとえば、第１の中心線の両端に位置していてもよい。第１の中心線に対して左右に開くフラップを形成できる。一対の開封点は、第１の中心線から外れた位置であってもよい。デザインの幅が広がり、側壁面も合わせて分離する場合、側壁面に表れる分離予約線を短くできるなどのメリットがある。
【００１２】
第２の分離予約線は、曲線を含んでいてもよい。デザイン性が向上する。それとともに、搬送中にダメージを受けやすい個所を避けて第２の分離予約線を設けることができる。たとえば、第１の壁面を吸引して搬送する場合など、第１の壁面の強度も要求される場合には、第２の分離予約線に、第１の中心線に対し外側に凸の曲線を含ませることが好ましい。
【００１３】
分離予約線は、ミシン目や断続的に繋がった破断予約線であってもよく、すでに切り離されている線であってもよく、箱を製造する際に接続されていない線であっても良い。第２の分離予約線は、破断予約線を含むことが望ましい。第２の分離予約線は、第１の分離予約線に対して距離が長くなりやすく、破断予約線を含むことにより開放前の第１の壁面の強度を確保できる。
【００１４】
箱は、開封点と繋がり、一対の辺に沿って延びた第３の分離予約線を有し、第１の分離予約線、第２の分離予約線および第３の分離予約線により分離されたフラップが第１の中心線に対して左右に開くことが望ましい。第３の分離予約線は、一対の辺に設けられていてもよい。側壁面に分離予約線がないので、側壁面の強度を向上できる。第３の分離予約線は、一対の辺から離れた位置で一対の辺と平行に延びた部分を含んでもよい。側壁面も同時に開くので、箱に梱包されていた商品等が見えやすくなる。
【００１５】
第３の分離予約線は、一対の辺を介して第１の壁面に接続された側壁面を分離する第４の分離予約線を含んでもよい。第１の壁面を側壁面の全体または一部を含めて分離して箱を開封できる。箱に梱包された商品などを、箱に入れたまま、いっそう見やすい状態で保存または陳列できる。
【００１６】
また、箱は、さらに、第３の分離予約線に繋がり、分離されたフラップが箱の他の部分から分離されるように設けられた第５の分離予約線を有することが望ましい。分離されたフラップを箱から分離でき、箱の残った部分を商品の陳列用の棚あるいはトレーとして使用できる。
【図面の簡単な説明】
【００１７】
【図１】包装箱の外観を示す斜視図。
【図２】包装箱の天面を上方から見た様子を示す図。
【図３】包装箱を展開した状態を示す図。
【図４】包蔵箱に両手をかけた状態を示す図。
【図５】包装箱の天面が開き始めた様子を示す図。
【図６】包装箱からフラップを切り離した状態を示す図。
【図７】異なる包装箱の外観を示す斜視図。
【図８】異なる包装箱の天面を上方から見た様子を示す図。
【図９】異なる包装箱を展開した図。
【図１０】異なる包装箱の天面が開き始めた様子を示す図。
【図１１】異なる包装箱からフラップを切り離した状態を示す図。
【図１２】さらに異なる包装箱の外観を示す斜視図。
【図１３】さらに異なる包装箱を展開した図。
【図１４】異なる包装箱の外観を示す斜視図。
【図１５】異なる包装箱の天面を上方から見た図。
【図１６】異なる包装箱の天面が開き始めた様子を示す図。
【図１７】異なる包装箱からフラップを切り離した状態を示す図。
【図１８】さらに異なる包装箱の外観を示す斜視図。
【図１９】さらに異なる包装箱を示す平面図。
【図２０】さらに異なる包装箱を示す平面図。
【発明を実施するための形態】
【００１８】
図１に、包装箱（箱）１の外観を、斜視図を用いて示し、図２に、包装箱１の天面（第１の壁面）１１を上方から見た様子を示している。また、図３に、包装箱１を展開した状態を示している。なお、一点鎖線は、説明のための補助線であり、包装箱１には実際には表れていない。他の図面においても同様である。
【００１９】
この箱１は、直方体状で、長方形の天面（上面、第１の壁面）１１および底面（下面）１２と、天面１１および底面１２とを接続する側面（側壁面）１３、１４、１５および１６とを含む。この例では、箱１はダンボール箱であるが、材質は、紙またはプラスチックなどのある程度の強度と腰があり、手の力で開放できるものであれば良い。天面１１には長手方向の中心線（第１の中心線）２１に沿って延びた分離予約線３０が設けられており、分離予約線３０により天面１１を２つの左右のフラップ１９ａおよび１９ｂに分離し、天面１１を中心線２１に対し直交する方向（左右方向）に開放できるようになっている。
【００２０】
分離予約線３０は、切れ込み、切欠き、破断予約線、事前に分離している部分を合わせた線などにより構成され、箱の強度、開放時の分離のしやすさなどを考慮して組み合わされる。破断予約線は、ミシン目、予約線に対して複数の切れ込みを斜めに設けて破断を容易にした線、ジッパーなどを含む。したがって、以下において説明する各線の種類およびその組み合わせは例示であり、以下に示す例に本発明は限定されない。
【００２１】
分離予約線３０は、天面１１の中心線２１の中点（第１の点）２５を通り、中心線２１と斜めに交差する第１の分離予約線３１と、第１の分離予約線３１の両端とそれぞれ繋がり、中点２５からの距離ｄ１が等しい位置に設けられた２つの（一対の）切欠き３９ａおよび３９ｂと、２つの切欠き３９ａおよび３９ｂと中点２５からの距離ｄ２が距離ｄ１より大きな天面１１の上の一対の開封点２６ａおよび２６ｂとをそれぞれ接続する一対の（２つの）第２の分離予約線３２ａおよび３２ｂとを含む。
【００２２】
この箱１においては、一対の（２つの）開封点２６ａおよび２６ｂは中心線２１の両端に直交する一対の辺（短手方向の辺）５２に位置し、開封点２６ａおよび２６と中点２５との距離ｄ２は等しく、２つの第２の分離予約線３２ａおよび３２ｂを含めて、天面１１の上の分離予約線３０は中点２５の周りに回転対称（１８０度対称）な形状であり、分離予約線３０は天面１１を横断するように設けられている。
【００２３】
第１の分離予約線３１は、中心線２１と角度θをなすように斜めに交差した切込みである。角度θは以下の（２）式を満たすことが望ましい。
１０≦θ≦８０・・・（２）
【００２４】
第１の分離予約線３１を切込みにすることにより開封の初期に必要な力が軽減される。それとともに、第１の分離予約線３１を中心線２１に斜めに交差させることにより、天面１１に荷重がかかった際に分離予約線３１にかかる力を天面１１の四辺方向に分散でき、天面１１のダンボール板の腰の強さを活かして切れ込みが広がることを抑制できる。
【００２５】
第１の分離予約線３１の両端に設けられた２つの切欠き３９ａおよび３９ｂは、中心線２１の側に凸の半円形の切欠きであり、天面１１を開封する際に親指を挿入してフラップ１９ａおよび１９ｂを引っ張り上げやすい形状およびサイズとなっている。２つの切欠き３９ａおよび３９ｂは、中点２５に対して等距離ｄ１に配置され、中心線（長手方向に延びた中心線）２１に沿った天面１１の両辺（長手方向の辺）５１との距離Ｌ１は上述した（１）式を満たし、両辺５１またはその外側の両側壁１５および１６に両手の一部を掛けて、両手で簡単にフラップ１９ａおよび１９ｂを引き上げやすい構成となっている。
【００２６】
また、２つの切欠き３９ａおよび３９ｂの中心線２１に沿った第２の距離Ｌ２は、以下の（３）式を満たすことが望ましい。ただし単位はｍｍである。
１０≦Ｌ２≦２００・・・（３）
【００２７】
第２の距離Ｌ２が（３）式の範囲であれば、両手の間隔が近すぎたり、遠すぎたりせず、両手で切欠き３９ａおよび３９ｂを用いてフラップ１９ａおよび１９ｂを引き上げやすい。（３）式の下限は２０ｍｍであることが望ましく、（３）式の上限は１００ｍｍであることが望ましく、５０ｍｍであることがさらに好ましい。両手を干渉させずに切欠き３９ａおよび３９ｂにセットしやすく、両手を近づけることにより切欠き３９ａおよび３９ｂに力を加えやすい。
【００２８】
２つの切欠き３９ａおよび３９ｂと、両辺５２の上の開封点２６ａおよび２６ｂとをそれぞれ繋ぐ第２の分離予約線３２ａおよび３２ｂは破断予約線であり、中心線２１の左右に外れた２つの切欠き３９ａおよび３９ｂと、中心線２１から外れた位置の開封点２６ａおよび２６ｂとを曲線および直線を含めて斜めに結ぶ線である。本例において、第２の分離予約線３２ａおよび３２ｂは、それぞれ中心線２１に対し外側に凸の曲線を含む。これらの第２の分離予約線３２ａおよび３２ｂは、凹みやすい天面１１の中央の部分が第１の分離予約線３１と同様に、中心線２１に対して斜めに配置されており、天面１１に荷重がかかった際に分離予約線３２ａおよび３２ｂにかかる力を天面１１の四辺方向に分散できる。このため、天面１１のダンボール板の腰の強さを活かして分離予約線３２ａおよび３２ｂが不意に分断することを抑制している。
【００２９】
また、天面１１に配置されたこれらの分離予約線３１、３２ａおよび３２ｂを中心線２１に対して斜めに、曲線をなすように、または角度をなすように配置することにより、天面１１に分離予約線３１、３２ａおよび３２ｂを見栄え良く配置することができ、美観に優れた箱１を提供できる。たとえば、本例の箱１では分離予約線３１、３２ａおよび３２ｂがほぼＳ字状に配置されているとも言える。第２の分離予約線３２ａおよび３２ｂは全体が直線でもよく、稲妻あるいはＺ字状に配置することも可能である。さらに、第２の分離予約線３２ａおよび３２ｂは、本例よりも曲率の小さな曲線でもよく、曲率の大きな曲線や円弧であってもよく、ジグザグまたは蛇状に曲がった線でもよく、直線の組み合わせであってもよい。
【００３０】
また、天面１１に配置される分離予約線３１、３２ａおよび３２ｂは、運搬上の都合に合わせてデザインすることも可能である。この箱１の例では、天面１１の中心線２１から第２の分離予約線３２ａおよび３２ｂを離すことにより、中心線２１に沿って搬送用の吸盤が取り付けられるスペースを確保できるようにしている。それとともに、中心線２１に対して大きく外側に曲がった線とすることにより特有の美観を形成している。
【００３１】
この箱１の第２の分離予約線３２ａおよび３２ｂは破断予約線（破断線）であり、破断方向に適当なピッチで複数の切れ込みが断続的に形成されている。切れ込みの形状は本例のように破断方向に対して角度を持ったものに限られず、ミシン目のように切れ込みあるいは孔が直線状に配置された破断線であってもよい。この箱１では、第２の分離予約線３２ａおよび３２ｂが比較的長いデザインとなっているので、第２の分離予約線３２ａおよび３２ｂを破断予約線として箱１の強度が確保されるようにしている。
【００３２】
この箱１は、さらに、開封点２６ａおよび２６ｂとそれぞれ繋がり、中心線２１に垂直な両辺５２に沿って中心線２１に平行な両辺５１の方向に延びた第３の分離予約線３３を含む。この箱１においては、両開封点２６ａおよび２６ｂは中心線２１から外れた両辺５１の近傍にあり、第３の分離予約線３３は、中心線２１の両端につながる側壁面（短手方向の側壁）１３および１４のそれぞれを上下に分離する第４の分離予約線３４ａ、３４ｂ、３４ｃおよび３４ｄにより構成されている。
【００３３】
側壁面１３および１４の構成は共通するので側壁面１３で説明する。第４の分離予約線３４ａは辺５２に沿って中心線２１に直交した方向に開封点２６ａから延びており、天面１１を側壁面１３から分離するための分離予約線である。第４の分離予約線３４ｂは、開封点２６ａから側壁面１３を縦方向（上下方向）に分断するように延び、側壁面１３を横方向（左右方向）に分断するように側壁面１３の横方向の中心線に沿って設けられた他の第４の分離予約線３４ｃおよび３４ｄに繋がっている。このような分離予約線の組み合わせを採用することにより、後述する側壁面１３の一方の内フラップ１３ｃに破断線を設けずに済み、側壁面１３を上下に分断可能な状態で強度が確保できるようにしている。
【００３４】
さらに具体的には、図３に示すように分離予約線３４ａは、側壁面１３の上部フラップ１３ａ（側壁面１４の上部フラップ１４ａ）のうち、内フラップ１３ｃ（１４ｃ）と重なるところを辺５２に沿って横に分断するように設けられた破断予約線（ミシン目）を含む。分離予約線３４ｂは、側壁面１３の内フラップ１３ｃ（側壁面１４の内フラップ１４ｃ）に沿って上部フラップ１３ａ（１４ａ）を縦方向に分断するように設けられた破断予約線（ミシン目）を含む。分離予約線３４ｃは、側壁面１３の上部フラップ１３ａおよび下部フラップ１３ｂ（側壁面１４の上部フラップ１４ａおよび下部フラップ１４ｂ）のエッジの組み合わせにより形成されており、エッジが接合されておらず、実質的な切れ込みとなっている。分離予約線３４ｄは、側壁面１３の内フラップ１３ｄ（側壁面１４の内フラップ１４ｄ）を横方向に分断するように設けられた破断予約線（ミシン目）を含む。
【００３５】
第３の分離予約線３３は、側壁面１３および１４を上下に分離するものであってもよく、天面１１と側壁面１３および１４との境界（辺、稜線）５２を分離するものであってもよく、天面１１を中心線２１から両辺５１に向かって分離するものであってもよい。側壁面１３および１４を上下に分離する第４の分離予約線３４ａ、３４ｂ、３４ｃおよび３４ｄの組み合わせもさまざまであり、Ｔ字状、山型や波型のものであってもよい。
【００３６】
この箱１は、さらに、天面１１の両辺５１に繋がる両側壁１５および１６に、第３の分離予約線３３に繋がり、両側壁１５および１６を上下に分離する第５の分離予約線３５ａおよび３５ｂを含む。この箱１では、第５の分離予約線３５ａおよび３５ｂは破断予約線であり、第５の分離予約線３５ｂは、天面１１を左右のフラップ１９ａおよび１９ｂに分離して開封したときのフラップ１９ｂの折り曲げ線を兼ねる。側壁面１６を構成する外フラップ１７は、側壁面１６の分離予約線３５よりも天面１１の側に位置し、外フラップ１７は、天面１１とともに分離される。
【００３７】
一方の側壁（長手方向の側壁）１５は外フラップ１７が設けられた他方の側壁１６に対し強度が不足する可能性がある。このため、側壁１５に設けられた第５の分離予約線３５ａは一直線とせずに胴膨れが発生しないようにしている。また、第５の分離予約線３５ａは、下側に延びた線３５ｄと上側に湾曲した線３５ｃとの組み合わせとして、第５の分離予約線３５ａが単調な直線あるいは曲線となることを防止し、第５の分離予約線３５ａが側壁１５の上半分に収まるようにしている。
【００３８】
図４に、天面１１を開封する様子を示している。２つの切欠き３９ａおよび３９ｂに両手９の親指を入れて両縁５１に手のひらまたは他の指を掛けて両手９を左右に旋回させる。この箱１は、左右の親指が交差しないで中心線２１（開封点２６ａおよび２６ｂ）に対して左右の辺５１に離れた２つの切欠き３９ａおよび３９ｂを掴むデザインとなっている。箱の幅や形状によっては、左右の親指が交差したり、両手９が交差して、２つの切欠き３９ａおよび３９ｂを掴むデザインとすることも可能である。
【００３９】
図５に、天面１１が左右のフラップ１９ａおよび１９ｂに分離して開封された状態を示している。この箱１は、天面１１および側壁１３および１４の上半部５が、第１の分離予約線３１、第２の分離予約線３２および第３の分離予約線３３（具体的には分離予約線３２ａ、３２ｂ、３４ａ、３４ｂ、３４ｃおよび３４ｄ）により下半部６から分離され、それらの分離予約線３０で周囲が形成され、天面１１の中心線２１に沿ってＳ字型の辺（縁）を持つ左右のフラップ１９ａおよび１９ｂが形成される。さらに、上半部５の左右のフラップ１９ａおよび１９ｂが、下半部６に対し、第５の分離予約線３５ａおよび３５ｂを中心（支線）として左右（上方）に旋回するようにして箱１が開封される。第３の分離予約線３３の一部である分離予約線３４ｃは、側壁１３ｂを分断するように、短手方向の辺５２から離れた位置に辺５２と平行に延びている。したがって、フラップ１９ａおよび１９ｂを分離すると、それとともに、側壁１３および１４の一部が上下に分離され、天面１１とともに側壁１３および１４も開封される。
【００４０】
この箱１は、開封時に親指を入れる切欠き３９ａおよび３９ｂを、比較的手の小さい女性作業員でも容易に取扱いできる幅に設定できる。また、親指を切欠き３９ａおよび３９ｂに入れ、手の他の指または手のひらを両辺５１に掛け、腕を広げて腕の力または体重をかけることにより、てこの原理を用いて比較的力の弱い女性や子供でも容易に天面１１を開封できる。両手９を回転するように動かすことにより開封することも可能である。切欠き３９ａおよび３９ｂに治具を入れて開封することも可能である。
【００４１】
左右のフラップ１９ａおよび１９ｂは、第５の分離予約線３５ａおよび３５ｂの近傍を除き、基本的（実質的）には中心線２１および中点２５に対して対称な形状であり、左右のフラップ１９ａおよび１９ｂを分離するための分離予約線の形状および長さも対称で等しい。したがって、開封する際に、左右のフラップ１９ａおよび１９ｂのいずれかが部分的に分離し難かったり、分離予約線を外れて破断してしまうことはほとんどなく、天面（天板）１１は所定の形状に分離される。また、開封により形成された左右のフラップ１９ａおよび１９ｂは、Ｓ字型に湾曲しており、見栄えもよく、また、鋭角な部分がほとんどないので安全であり、取扱いも容易である。
【００４２】
図６に、第５の分離予約線３５ａおよび３５ｂに沿ってフラップ１９ａおよび１９ｂを箱１の下半部６から分離した状態を示している。箱１の下半部６は、商品を入れて展示するトレーや棚として利用できる。この箱１は、上半部５を２つのフラップ１９ａおよび１９ｂに割って、それを下半部６から分離する方式となっている。したがって、ジッパーで箱を上下に分断する方式と比較し、余計なごみの発生がない。また、上半部５をフラップ１９ａおよび１９ｂに割って、第５の分離予約線３５ａおよび３５ｂに沿って旋回して折り目を付けてから、フラップ１９ａおよび１９ｂを第５の分離予約線３５ａおよび３５ｂに沿って分離する。このため、下半部６の切り口は、分離予約線３５ａおよび３５ｂに沿って比較的きれいであり、そのまま商品展示用のトレーとして利用できる。
【００４３】
図７に、異なる包装箱（箱）１の外観を、斜視図を用いて示し、図８に、包装箱１の天面（第１の壁面）１１を上方から見た様子を示している。また、図９に、包装箱１を展開した状態を示している。この箱１も、直方体で、長方形の天面（上面、第１の壁面）１１および底面（下面）１２と、天面１１および底面１２とを接続する側面（側壁面）１３、１４、１５および１６とを含む。
【００４４】
この箱１も、天面１１を２つの左右のフラップ１９ａおよび１９ｂに分離する第１の分離予約線３１と、第１の分離予約線３１の両端と繋がる２つの切欠き３９ａおよび３９ｂと、２つの切欠き３９ａおよび３９ｂと中心点（中点）２５からの距離ｄ２が等しい一対の開封点２６ａおよび２６ｂとをそれぞれ接続する一対の第２の分離予約線３２ａおよび３２ｂとを含む。
【００４５】
この箱１は、短手方向の辺５２の上に位置する開封点２６ａおよび２６ｂとそれぞれ繋がる第３の分離予約線３３を含み、この箱１においては、第３の分離予約線３３は、辺５２と一致するように設けられている。第３の分離予約線３３は、破断予約線（ミシン線）である。辺５２の上の開封点２６ａおよび２６ｂは、中心線２１に対し対称な方向にシフトした位置にあり、第２の分離予約線３２ａおよび３２ｂは、それぞれ辺５２に重なる第３の分離予約線３３に対し、中心線２１の方向に滑らかに繋がる接続部３２ｃおよび３２ｄを含む。
【００４６】
第３の分離予約線３３は、開封点２６ａおよび２６ｂから中心線２１の方向に辺５１との交点まで延びる長い分離予約線３４ｆと、開封点２６ａおよび２６ｂから中心線２１とは反対側に延びる短い分離予約線３４ｇとを含む。第３の分離予約線３３が、接続部３２ｃおよび３２ｄを介して長い分離予約線３４ｆと滑らかに繋がることにより、フラップ１９ａおよび１９ｂを開くときの力を、どちらかというと分離しにくい、分離するときに力が必要な分離予約線３４ｆにまず伝え、長い分離予約線３４ｆが、短い分離予約線３４ｇに対して先に分離する。分離予約線３４ｆと分離予約線３４ｇとが時差を持って側壁１３および１４から分離することにより、フラップ１９ａおよび１９ｂをさらに容易に開封できる。開封点２６ａおよび２６ｂへの接続部３２ｃおよび３２ｄは円弧状であってもよく、他の曲線状であってもよく、直線的に面取りした形状であってもよい。
【００４７】
この箱１においては、第３の分離予約線３３が短手方向の辺５２と一致するように設けられており、側壁１３および１４には、それぞれの壁面を分離するような分離予約線が設けられていない。したがって、側壁１３および１４が、外部からの衝撃に対して比較的強い箱１を提供できる。また、天板１１を分離したときに、側壁１３および１４の全体が残るので、天板１１を分離した後に、側壁１３および１４で商品を支持でき、また、側壁１３および１４を取っ手替わりとして運搬しやすい箱１を提供できる。
【００４８】
この箱１は、上記と同様に、第３の分離予約線３３に繋がり、両側壁面１５および１６を上下にそれぞれ分断する第５の分離予約線３５ａおよび３５ｂを含む。第５の分離予約線３５ａは、斜めに延びた部分３５ｄで第３の分離予約線３３に繋がっている。直線的な第５の分離予約線３５ｂは、側壁同士のコーナーに配置された分離予約線３５ｅにより第３の分離予約線３３に繋がっている。したがって、この箱１においても、天板１１のフラップ１９ａおよび１９ｂを開き、第５の分離予約線３５ａおよび３５ｂにより、フラップ１９ａおよび１９ｂを箱１から分離できる。
【００４９】
図１０に、この箱１を開封する様子を示している。この箱１の切り欠き３９ａおよび３９ｂに親指を入れ、手の他の指または手のひらを両辺５１に掛け、てこの原理を用いて天面１１を開封する。先ず、第１の分離予約線３１と、第２の分離予約線３２とが分離して天面１１がフラップ１９ａおよび１９ｂに分かれる。次に、第２の分離予約線３２と接続部３２ｃおよび３２ｄにより滑らかに繋がった長い方の分離予約線３４ｆが開く。さらに、フラップ１９ａおよび１９ｂを開けると、短い方の分離予約線３４ｇが開く。第３の分離予約線３３は、長い方の分離予約線３４ｆと短い方の分離予約線３４ｇとが順番に分離し、第３の分離予約線３３に加える力を分けることができる。このため、短手の辺５２を兼ねた第３の分離予約線３３を分離する際に比較的力が必要な強度の高い分離予約線にすることができ、箱１の強度を確保しやすい。
【００５０】
図１１に、第５の分離予約線３５ａ、３５ｂおよび３５ｅに沿ってフラップ１９ａおよび１９ｂを箱１の下半部６から分離した状態を示している。箱１の下半部６は、商品を入れて展示するトレーや棚として利用できる。この下半部６においては、側壁１３および１４が分離されずに残されているため、下半部６をトレーや棚として利用したときに、商品が崩れて散乱するのを抑制できる。また、側壁１６を、第５の分離予約線３５ｂにより、比較的低い位置で直線的に分離しているため、側壁１３および１４が分離されずに残されていても、商品等のディスプレーや取り出し時等に邪魔になりにくい構成となっている。
【００５１】
図１２に、さらに異なる包装箱（箱）１の外観を、斜視図を用いて示し、図１３に、包装箱１を展開した状態を示している。この箱１も、直方体で、長方形の天面１１および底面１２と、天面１１および底面１２とを接続する側面１３、１４、１５および１６とを含む。さらに、この箱１も、天面１１を２つの左右のフラップ１９ａおよび１９ｂに分離する第１の分離予約線３１と、第１の分離予約線３１の両端と繋がる２つの切欠き３９ａおよび３９ｂと、２つの切欠き３９ａおよび３９ｂと中心点２５からの距離ｄ２が等しい一対の開封点２６ａおよび２６ｂとをそれぞれ接続する一対の第２の分離予約線３２ａおよび３２ｂとを含む。
【００５２】
この箱１も、短手方向の辺５２の上に位置する開封点２６ａおよび２６ｂとそれぞれ繋がる第３の分離予約線３３を含み、第３の分離予約線３３の一部は、辺５２と一致するように設けられている。この箱１においても、辺５２の上の開封点２６ａおよび２６ｂは、中心線２１に対し対称な方向にシフトした位置にあり、第２の分離予約線３２ａおよび３２ｂは、それぞれ辺５２に重なる第３の分離予約線３３に対し、中心線２１の方向に滑らかに繋がる接続部３２ｃおよび３２ｄを含む。
【００５３】
第３の分離予約線３３は、開封点２６ａおよび２６ｂから辺５２に沿って中心線２１の方向に延びる長い分離予約線３４ｆと、開封点２６ｂから中心線２１とは反対側に延びる短い分離予約線３４ｇとを含む。この箱１の側壁１４側の辺５２に沿って延びる分離予約線３４ｆは、開封点２６ｂから、側壁１５側の辺５１からの距離が開封点２６ａと側壁１５側の辺５１との距離と同じになる点２６ｃまで設けられている。点２６ｃは、開封点２６ａと側壁１５側の辺５１との間の距離と異なる辺５１上の位置に配置されていてもよい。
【００５４】
さらに、第３の分離予約線３３は、右のフラップ１９ａ上に、開封点２６ａから接続部３２ｃの一部を介して、側壁１５側の辺５１に斜めにほぼ直線的に接続する分離予約線３４ｈと、点２６ｃから側壁１５側の辺５１に斜めに直線状に接続する分離予約線３４ｉとを含む。分離予約線３４ｈは、開封点２６ａから側壁１３側の辺５２の一部を介して側壁１５側の辺５１に接続するように配置してもよい。分離予約線３４ｈおよび３４ｉは、円弧状であってもよく、他の曲線や直線と曲線との組合せなどであってよい。第３の分離予約線３４ｈおよび３４ｉは両辺５２から側壁１５側の辺５１に向かってフラップ１９ａの幅が狭まるように設けられている。このため、切欠き３９ａから距離が離れ、力が入りにくくなる側壁１５側の辺５１に向かって、フラップ１９ａを開封する力が集中しやすい。したがって、フラップ１９ａをさらに開けやすい箱１を提供できる。
【００５５】
この箱１においては、第１の分離予約線３１、第２の分離予約線３２および第３の分離予約線３３に沿ってフラップ１９ａおよび１９ｂを開くと、天面１１の一部１１аおよび１１ｂが側壁１３、１４および１５から分離されずにそれぞれ三角形状に残る。したがって、側壁１３および１４と、側壁１５とは、天面１１の一部（コーナー部）１１ａおよび１１ｂを介して接続されており、箱１に加わる上下方向および左右方向の力に対して、比較的耐久性の高い箱１を提供できる。
【００５６】
この箱１は、第３の分離予約線３３に繋がり、フラップ１９ａおよび１９ｂを下半部６からそれぞれ分断する第５の分離予約線３５ｆおよび３５ｂを含む。第５の分離予約線３５ｆは、第４の分離予約線３４ｈおよび３４ｉに繋がり、側面１５側の辺５１に一致するように設けられている。第５の分離予約線３５ｆは、破断予約線（ミシン線）である。このため、側壁１５には側面を分離するような分離予約線が設けられていない。したがって、この箱１は、上記の箱と同様に、側壁１３、１４および１６が、外部からの衝撃に比較的強いことに加え、さらに側壁１５も外部からの衝撃に比較的強い箱１を提供できる。このため、箱１を上下に積層したような場合においても、胴膨れが発生しにくく、移送途中や保管中の荷崩れなどを抑制できる。
【００５７】
この箱１においても、天板１１のフラップ１９ａおよび１９ｂを開き、第５の分離予約線３５ｆ、３５ｂおよび３５eにより、フラップ１９ａおよび１９ｂを箱１から分離できる。フラップ１９ａおよび１９ｂを箱１から分離した後においても、天面１１のコーナー部１１ａおよび１１ｂが、側壁１３、１４および１５の全体とともに残るので、コーナー部１１ａおよび１１ｂを介して側壁１３、１４および１５が比較的強固に接続されている。したがって、下半部６を強度の高いトレーとして商品を入れたまま搬送したり、荷崩れしやすい商品を展示する陳列容器として利用でき、下半部６が変形して、商品が崩れたりすることを抑制できる。また、側壁１３、１４および１５の全体とコーナー部１１ａおよび１１ｂとが分離されずに残っていても、側壁１６を、第５の分離予約線３５ｂにより比較的低い位置で直線的に分離しているため、商品等の展示や取り出し時に邪魔なる可能性は少なく、実用的で見栄えのよい箱１（下半部６）を提供できる。
【００５８】
図１４に、さらに異なる包装箱（箱）１の外観を、斜視図を用いて示し、図１５に、包装箱１の天面（第１の壁面）１１を上方から見た様子を示している。この箱１も、直方体状で、長方形の天面（上面、第１の壁面）１１および底面（下面）１２と、天面１１および底面１２とを接続する側面（側壁面）１３、１４、１５および１６とを含む。この箱１においては、開封点２６ａおよび２６ｂは、中心線２１の両端であり、分離予約線３０は中心線２１に沿って天面１１を横断するように設けられている。本例において、第２の分離予約線３２ａおよび３２ｂは、それぞれ中心線２１に対し外側に凸の曲線であり、全体が中心線２１に対して斜めに配置されており、天面１１に荷重がかかった際に分離予約線３２ａおよび３２ｂにかかる力を天面１１の四辺方向に分散できる。
【００５９】
この箱１は、さらに、開封点２６ａおよび２６ｂとそれぞれ繋がり、中心線２１から両辺５１の方向に延びた第３の分離予約線３３を含む。この箱１においては、両開封点２６ａおよび２６ｂは中心線２１の両端であり、第３の分離予約線３３は、中心線２１の両端につながる側壁面１３および１４のそれぞれをＴ字状に分離する第４の分離予約線３４ｂ、３４ｃおよび３４ｄにより構成されている。第４の分離予約線３４ｂは中心線２１に沿って側壁面１３を縦方向（上下方向）に分断するように側壁面１３の縦方向の中心線に沿って設けられ、他の第４の分離予約線３４ｃおよび３４ｄは、側壁面１３を横方向（左右方向）に分断するように側壁面１３の横方向の中心線に沿って設けられている。第４の分離予約線３４ｄは、内フラップ１３ｃおよび１３ｄをそれぞれ上下に分離するための予約線である。
【００６０】
この箱１は、さらに、長手方向の側壁面１５および１６を上下にそれぞれ分離する第５の分離予約線３５を含み、本例では、第５の分離予約線３５は直線的にデザインされている。
【００６１】
図１６に、天面１１が左右のフラップ１９ａおよび１９ｂに分離して開封された状態を示している。図１７に、第５の分離予約線３５に沿ってフラップ１９ａおよび１９ｂを箱１の下半部６から分離した状態を示している。箱１の下半部６は、商品を入れて展示するトレーや棚として利用できる。フラップ１９ａおよび１９ｂは第５の分離予約線３５に沿って分離されており、下半部６の切り口は、分離予約線３５に沿って真っすぐになっている。
【００６２】
図１８に、箱の異なる例を斜視図により示している。この箱２は、第２の分離予約線３２ａおよび３２ｂが中心線２１に比較的近く、曲率の小さな曲線により構成されている。また、第３の分離予約線３３は、側壁面１３を山型に分断するように設けられた第４の分離予約線３４ｅを含む。このように、天面１１に設けられる分離予約線３１、３２ａおよび３２ｂのデザイン、側壁面１３および１４に設けられる第３の分離予約線３３のデザインはフレキシブルに変更できる。
【００６３】
図１９に、箱のさらに異なる例を示している。この箱３は天面１１の上方にずれた部分を左右に開いて開封するタイプである。この箱３においては、分離予約線３０の中心となる第１の点６５が中心線２１の中点より上方にシフトして設定されており、開封点６６ａおよび６６ｂは第１の点６５から等距離で中心線２１の両端より内側に設定されている。開封点６６ａおよび６６ｂと繋がる第３の分離予約線３３は、天面１１に配置され、中心線２１と直交する辺５２と平行に、第１の中心線２１から両辺５１の方向に延びている。また、天面１１に配置された第１の分離予約線３１および第２の分離予約線３２ａおよび３２ｂは直線状の破断予約線（ミシン目）となっている。
【００６４】
図２０に、箱のさらに異なる例を示している。この箱３の分離予約線３０は、第１の点６５を中心として（第１の点６５の周りに）対称な形状を含むが、第１の点６５から各々の開封点６６ａおよび６６ｂまでの距離ｄ２１およびｄ２２は等しくない。したがって、分離予約線３０は全体として非対称である。このため、さらにフレキシブルなデザインの分離予約線３０を備えた箱３を提供できる。
【００６５】
なお、上記の箱は天面を２つのフラップに分離して開封する例を示しているが、開封する面は天面に限らず側壁面のいずれであってもよい。複数の壁面、たとえば対面する側壁面に、指を入れる切欠きとともに中心線に対して斜めに配置された分離予約線を設けて側壁面を分離することにより箱を上下に分解してもよい。また、箱は方形または直方体に限らず、他の多角形の箱や、曲面を備えた箱であってもよい。箱の材質はダンボールに限らず、他の紙製、樹脂製の箱であってもよい。
【符号の説明】
【００６６】
１  箱（ダンボール箱）
３０  分離予約線
【図１】
2015110446.tif 000003
【図２】
2015110446.tif 000004
【図３】
2015110446.tif 000005
【図４】
2015110446.tif 000006
【図５】
2015110446.tif 000007
【図６】
2015110446.tif 000008
【図７】
2015110446.tif 000009
【図８】
2015110446.tif 000010
【図９】
2015110446.tif 000011
【図１０】
2015110446.tif 000012
【図１１】
2015110446.tif 000013
【図１２】
2015110446.tif 000014
【図１３】
2015110446.tif 000015
【図１４】
2015110446.tif 000016
【図１５】
2015110446.tif 000017
【図１６】
2015110446.tif 000018
【図１７】
2015110446.tif 000019
【図１８】
2015110446.tif 000020
【図１９】
2015110446.tif 000021
【図２０】
2015110446.tif 000022